(57)【特許請求の範囲】
【請求項１】
遊技機に備えられた所定部の制御に必要なコマンドデータを受信し、この受信したコマンドデータを一時的に保持するコマンドデータ保持手段と、
このコマンドデータ保持手段に保持されているコマンドデータに基づく割込処理を実行する割込処理実行手段と、
遊技機への供給電圧が予め定める電圧値未満に低下した後であってもデータを記憶しておくことのできるバックアップ機能付記憶手段と、
遊技機への供給電圧が上記予め定める電圧値未満に低下したことに応答して送信されてくる割込不可信号を受信する割込不可信号受信手段と、
この割込不可信号受信手段による割込不可信号の受信後、上記コマンドデータ保持手段が保持しているコマンドデータに基づく割込処理が既に実行済みであるか否かを判別する判別手段と、
この判別手段が上記コマンドデータ保持手段に保持されているコマンドデータに基づく割込処理は実行されていないと判別した場合に、当該コマンドデータを上記バックアップ機能付記憶手段に記憶させるデータバックアップ手段と
を備えていることを特徴とする遊技機用制御基板。
【請求項２】
遊技機への供給電圧が上記予め定める電圧値未満である状態から上記予め定める電圧値以上に復帰した後、上記バックアップ機能付記憶手段にコマンドデータが記憶されている場合に、その記憶されているコマンドデータに基づく割込処理を実行する復帰後割込処理実行手段をさらに備えていることを特徴とする請求項１記載の遊技機用制御基板。
【請求項３】
上記遊技機用制御基板は、コマンドデータの送信にタイミングをとって送信されてくるストローブ信号を受信し、その受信の度にカウント値を１だけ増加させるカウンタと、上記データ保持手段からコマンドデータが読み出されたことに応答して、上記カウンタのカウント値を記憶するカウント値記憶手段とをさらに備えており、
上記判別手段は、上記割込不可信号受信手段による割込不可信号の受信から所定時間が経過した時点で、上記カウンタのカウント値と上記カウント値記憶手段に記憶されているカウント値とを比較し、上記カウンタのカウント値と上記カウント値記憶手段に記憶されているカウント値とが一致する場合には、上記コマンドデータ保持手段に保持されているコマンドデータに基づく割込処理は既に実行済みであると判別し、上記カウンタのカウント値と上記カウント値記憶手段に記憶されているカウント値とが異なる場合には、上記コマンドデータ保持手段に保持されているコマンドデータに基づく処理が未だ実行されていないと判別するものであることを特徴とする請求項１または２記載の遊技機用制御基板。
【請求項４】
所定部の動作を制御するための制御基板と、この制御基板の動作電圧を発生する電源基板とを有する遊技機であって、
上記制御基板としては、請求項１ないし３のいずれかに記載の遊技機用制御基板が適用されており、
上記電源基板への供給電圧が予め定める電圧値未満に低下したことを検出する電圧低下検出手段を含み、
上記電源基板には、上記電圧低下検出手段によって上記電源基板への供給電圧が予め定める電圧値未満に低下したことが検出されたことに応答して、上記制御基板に割込不可信号を送信する割込不可信号送信手段が備えられていることを特徴とする遊技機。
【請求項５】
遊技機における遊技内容に関する基本的な動作を制御するための主制御基板と、その基本的な動作に付随する補助的な動作を制御するための副制御基板とを有する遊技機用制御装置であって、
上記主制御基板には、
遊技機に備えられた所定部の制御に必要なコマンドデータを送信するコマンドデータ送信手段と、
遊技機への供給電圧が予め定める電圧値未満に低下したことに応答して送信されてくる割込不可信号を受信する第１の割込不可信号受信手段とが備えられ、
上記副制御基板には、
上記コマンドデータ送信手段から送信されてくるコマンドデータを受信し、この受信したコマンドデータを一時的に保持するコマンドデータ保持手段と、
このコマンドデータ保持手段に保持されているコマンドデータに基づく割込処理を実行する割込処理実行手段と、
遊技機への供給電圧が上記予め定める電圧値未満に低下した後であってもデータを記憶しておくことのできるバックアップ機能付記憶手段と、
遊技機への供給電圧が上記予め定める電圧値未満に低下したことに応答して送信されてくる割込不可信号を受信する第２の割込不可信号受信手段と、
この第２の割込不可信号受信手段による割込不可信号の受信から所定時間が経過した時点で、上記コマンドデータ保持手段が保持しているコマンドデータに基づく割込処理が既に実行済みであるか否かを判別する判別手段と、
この判別手段が上記コマンドデータ保持手段に保持されているコマンドデータに基づく割込処理は実行されていないと判別した場合に、当該コマンドデータを上記バックアップ機能付記憶手段に記憶させるデータバックアップ手段とが備えられていることを特徴とする遊技機用制御装置。
【請求項６】
上記副制御基板には、遊技機への供給電圧が上記予め定める電圧値未満である状態から上記予め定める電圧値以上に復帰した後、上記バックアップ機能付記憶手段にコマンドデータが記憶されている場合に、その記憶されているコマンドデータに基づく割込処理を実行する復帰後割込処理実行手段がさらに備えられていることを特徴とする請求項５記載の遊技機用制御装置。
【請求項７】
上記主制御基板には、上記コマンドデータ送信手段から上記コマンドデータ保持手段へのコマンドデータの送信にタイミングをとって、当該コマンドデータに基づく割込処理の実行タイミングを規定するストローブ信号を送信するストローブ信号送信手段がさらに備えられ、
上記副制御基板には、上記ストローブ信号送信手段から送信されてくるストローブ信号を受信し、その受信の度にカウント値を１だけ増加させるカウンタと、上記データ保持手段からコマンドデータが読み出されたことに応答して、上記カウンタのカウント値を記憶するカウント値記憶手段とがさらに備えられており、上記判別手段は、上記割込不可信号受信手段による割込不可信号の受信から所定時間が経過した時点で、上記カウンタのカウント値と上記カウント値記憶手段に記憶されているカウント値とを比較し、上記カウンタのカウント値と上記カウント値記憶手段に記憶されているカウント値とが一致する場合には、上記コマンドデータ保持手段に保持されているコマンドデータに基づく割込処理は既に実行済みであると判別し、上記カウンタのカウント値と上記カウント値記憶手段に記憶されているカウント値とが異なる場合には、上記コマンドデータ保持手段に保持されているコマンドデータに基づく処理が未だ実行されていないと判別するものであることを特徴とする請求項５または６記載の遊技機用制御装置。
【発明の詳細な説明】
【０００１】
【発明の属する技術分野】
この発明は、パチンコ機やパチスロ機などの遊技機、ならびに遊技機のための制御基板および制御装置に関する。
【０００２】
【従来の技術】
最近では、パチンコ機やパチスロ機などの遊技機は、遊技内容（ゲーム内容）に関する基本的な動作を制御するための主制御基板と、その基本的な動作に付随する補助的な動作を制御するためのサブ制御基板とを備えたものが主流となっている。サブ制御基板としては、たとえば、賞球払出装置による賞球の払出し動作を制御するための賞球払出制御基板、図柄表示装置の変動表示動作を制御するための表示制御基板、スピーカからの効果音の出力を制御するための音声制御基板などがある。
【０００３】
図４は、賞球払出制御に関する電気的構成を示すブロック図である。賞球払出制御基板１２０は、ＣＰＵ１２１、ＲＡＭ１２２およびＲＯＭ１２３が実装された基板であり、主制御基板１１０に接続されている。賞球払出装置１３０から賞球を払い出す必要が生じると、主制御基板１１０から賞球払出制御基板１２０に賞球払出制御信号が与えられる。この賞球払出制御信号は、賞球払出装置１３０の制御に必要なデータを含むコマンドデータと、このコマンドデータを賞球払出制御基板１２０のＣＰＵ１２１が取り込むタイミングを通知するストローブ信号とを含む。
【０００４】
賞球払出制御基板１２０にはさらに、主制御基板１１０から送信されてくるコマンドデータを一時的に保持しておくためのバッファであるデータ受信部１２４と、ストローブ信号の受信に応答して割込信号を発生する割込信号発生回路１２５とが備えられている。ＣＰＵ１２１は、割込信号発生回路１２５から割込信号が発生されると、この割込信号の発生に応答して、データ受信部１２４に保持されているコマンドデータを取り込む。そして、その取り込んだコマンドデータに基づいて、賞球払出装置１３０を制御するための賞球信号を生成し、この生成した賞球信号を賞球払出装置１３０に向けて送信する。
【０００５】
ところで、遊技機は、停電などによる電源電圧低下時の誤動作を防止するための機能を有している。すなわち、遊技機への供給電圧が低下すると、遊技機各部の動作電圧を発生する電源基板１４０から主制御基板１１０および賞球払出制御基板１２０などの各サブ制御基板にＮＭＩ（Non Maskable Interrupt）信号が送信され、各制御基板では、ＮＭＩ信号受信回路（賞球払出制御基板１２０においてはＮＭＩ信号受信回路１２６）がＮＭＩ信号を受信したことに応答して、予め定めるバックアップ処理が行われる。
【０００６】
主制御基板１１０では、ＮＭＩ信号受信回路がＮＭＩ信号を受信すると、たとえば、それ以降のコマンドデータおよびストローブ信号の送信が禁止されるとともに、ＲＡＭに格納されているデータのバックアップが行われる。また、賞球払出制御基板１２０では、ＮＭＩ信号受信回路１２６がＮＭＩ信号を受信すると、たとえば、それ以降の割込処理の実行が禁止されるとともに、ＲＡＭ１２２に格納されているデータのバックアップが行われる。したがって、ＮＭＩ信号受信回路１２６がＮＭＩ信号を受信した後は、賞球払出装置１３０に向けて賞球信号が送信されることはなく、賞球払出装置１３０による賞球払出動作が行われることはない。
【０００７】
【発明が解決しようとする課題】
各制御基板へのＮＭＩ信号は、電源基板１４０から各制御基板に向けて同時に出力される。ところが、各制御基板のＮＭＩ信号受信回路がＮＭＩ信号を受信（検出）するタイミングには多少のずれを生じる場合がある。なぜなら、電源基板１４０と各制御基板とを接続する通信線の長さにばらつきがあり、各制御基板に備えられているＮＭＩ信号受信回路の構成が共通でないからである。
【０００８】
主制御基板１１０と賞球払出制御基板１２０などのサブ制御基板とでＮＭＩ信号の受信タイミングにずれがあると、遊技機の動作に不都合を生じるおそれがある。たとえば、主制御基板１１０のＮＭＩ信号受信回路によるＮＭＩ信号の受信が賞球払出制御基板１２０のＮＭＩ信号受信回路１２６によるＮＭＩ信号の受信よりも遅れた場合、すでに割込処理を実行することが禁止されている賞球払出制御基板１２０に向けて、主制御基板１１０からコマンドデータおよびストローブ信号が送信されることが想定される。このような場合、主制御基板１１０からコマンドデータおよびストローブ信号の送信が完了しているにもかかわらず、賞球払出装置１３０による賞球払出動作は行われない。また、電源基板１４０の発生電圧が賞球払出制御基板１２０の動作電圧を下回った場合には、データ受信部１２４に保持されているコマンドデータは消えるので、電源電圧復帰時に、賞球払出装置１３０による賞球払出動作は行われることもない。ゆえに、その遊技機で遊技していた者は、賞球を得ることができず、損害を被ることになる。
【０００９】
そこで、この発明の目的は、供給電圧の低下時における不都合の発生を良好に防止できる遊技機、ならびにそのような遊技機のための制御基板および制御装置を提供することである。
【００１０】
【課題を解決するための手段および発明の効果】
上記の目的を達成するための請求項１記載の発明は、遊技機に備えられた所定部の制御に必要なコマンドデータを受信し、この受信したコマンドデータを一時的に保持するコマンドデータ保持手段（２４）と、このコマンドデータ保持手段に保持されているコマンドデータに基づく割込処理を実行する割込処理実行手段（２１，Ｓ２，Ｓ３，Ｓ４）と、遊技機への供給電圧が予め定める電圧値未満に低下した後であってもデータを記憶しておくことのできるバックアップ機能付記憶手段（２２）と、遊技機への供給電圧が上記予め定める電圧値未満に低下したことに応答して送信されてくる割込不可信号を受信する割込不可信号受信手段（２６）と、この割込不可信号受信手段による割込不可信号の受信後、上記コマンドデータ保持手段が保持しているコマンドデータに基づく割込処理が既に実行済みであるか否かを判別する判別手段（２１，Ｔ３，Ｔ４）と、この判別手段が上記コマンドデータ保持手段に保持されているコマンドデータに基づく割込処理は実行されていないと判別した場合に、当該コマンドデータを上記バックアップ機能付記憶手段に記憶させるデータバックアップ手段（２１，Ｔ５，Ｔ６）とを備えていることを特徴とする遊技機用制御基板である。
【００１１】
また、請求項２記載の発明は、遊技機への供給電圧が上記予め定める電圧値未満である状態から上記予め定める電圧値以上に復帰した後、上記バックアップ機能付記憶手段にコマンドデータが記憶されている場合に、その記憶されているコマンドデータに基づく割込処理を実行する復帰後割込処理実行手段（２１）をさらに備えていることを特徴とする請求項１記載の遊技機用制御基板である。
なお、括弧内の英数字は、後述の実施形態における対応構成要素等を表す。以下、この項において同じ。
【００１２】
上記の発明によれば、割込不可信号の受信後、コマンドデータ保持手段に保持されているコマンドデータに基づく割込処理が既に実行済みであるか否かが判断され、この判別が肯定された場合には、そのコマンドデータ保持手段に保持されているコマンドデータがバックアップ機能付記憶手段に記憶させられる。
これにより、遊技機への供給電圧が上記予め定める電圧値以上に復帰した後に、バックアップ機能付記憶手段に記憶されているコマンドデータに基づいて割込処理を実行することができる。ゆえに、遊技機用制御基板が割込不可信号の受信後にコマンドデータを受信することによって生じる不都合（たとえば、上記遊技機用制御基板が賞球払出制御基板の場合には、本来なら払い出されるべき賞球が払い出されないという不都合）の発生を回避でき、遊技者に損害を与えることを防止できる。
【００１３】
請求項３記載の発明は、上記遊技機用制御基板は、コマンドデータの送信にタイミングをとって送信されてくるストローブ信号を受信し、その受信の度にカウント値を１だけ増加させるカウンタ（２５２）と、上記データ保持手段からコマンドデータが読み出されたことに応答して、上記カウンタのカウント値を記憶するカウント値記憶手段（２２）とをさらに備えており、上記判別手段は、上記割込不可信号受信手段による割込不可信号の受信から所定時間が経過した時点で、上記カウンタのカウント値と上記カウント値記憶手段に記憶されているカウント値とを比較し、上記カウンタのカウント値と上記カウント値記憶手段に記憶されているカウント値とが一致する場合には、上記コマンドデータ保持手段に保持されているコマンドデータに基づく割込処理は既に実行済みであると判別し、上記カウンタのカウント値と上記カウント値記憶手段に記憶されているカウント値とが異なる場合には、上記コマンドデータ保持手段に保持されているコマンドデータに基づく処理が未だ実行されていないと判別するものであることを特徴とする請求項１または２記載の遊技機用制御基板である。
【００１４】
割込不可信号を受信したことに応答して割込処理の実行は禁止され、割込不可信号の受信後にコマンドデータ保持手段からコマンドデータが読み出されることはないので、割込不可信号の受信後にコマンドデータおよびストローブ信号を受信した場合、カウンタのカウント値はカウント値記憶手段に記憶されているカウント値よりも１だけ大きいはずである。したがって、請求項３に記載のように、割込不可信号受信手段による割込不可信号の受信から所定時間が経過した時点で、カウンタのカウント値とカウント値記憶手段に記憶されているカウント値とを比較することにより、コマンドデータ保持手段が保持しているコマンドデータに基づく割込処理が既に実行済みであるか否かを判別することができる。
【００１５】
請求項４記載の発明は、所定部の動作を制御するための制御基板（２０）と、この制御基板の動作電圧を発生する電源基板（３０）とを有する遊技機であって、上記制御基板としては、請求項１ないし３のいずれかに記載の遊技機用制御基板が適用されており、上記電源基板への供給電圧が予め定める電圧値未満に低下したことを検出する電圧低下検出手段（３１）を含み、上記電源基板には、上記電圧低下検出手段によって上記電源基板への供給電圧が予め定める電圧値未満に低下したことが検出されたことに応答して、上記制御基板に割込不可信号を送信する割込不可信号送信手段が備えられていることを特徴とする遊技機である。
【００１６】
この発明によれば、請求項１ないし３のいずれかの遊技機用制御基板が制御基板に用いられているから、制御基板が割込不可信号の受信後にコマンドデータを受信することによって生じる不都合（たとえば、上記制御基板が賞球払出制御基板の場合には、本来なら払い出されるべき賞球が払い出されないという不都合）の発生を回避でき、遊技者に損害を与えることを防止できる。
請求項５記載の発明は、遊技機における遊技内容に関する基本的な動作を制御するための主制御基板（１０）と、その基本的な動作に付随する補助的な動作を制御するための副制御基板（２０）とを有する遊技機用制御装置であって、上記主制御基板には、遊技機に備えられた所定部の制御に必要なコマンドデータを送信するコマンドデータ送信手段（１１）と、遊技機への供給電圧が予め定める電圧値未満に低下したことに応答して送信されてくる割込不可信号を受信する第１の割込不可信号受信手段（１４）とが備えられ、上記副制御基板には、上記コマンドデータ送信手段から送信されてくるコマンドデータを受信し、この受信したコマンドデータを一時的に保持するコマンドデータ保持手段（２４）と、このコマンドデータ保持手段に保持されているコマンドデータに基づく割込処理を実行する割込処理実行手段（２１，Ｓ２，Ｓ３，Ｓ４）と、遊技機への供給電圧が上記予め定める電圧値未満に低下した後であってもデータを記憶しておくことのできるバックアップ機能付記憶手段（２２）と、遊技機への供給電圧が上記予め定める電圧値未満に低下したことに応答して送信されてくる割込不可信号を受信する第２の割込不可信号受信手段（２６）と、この第２の割込不可信号受信手段による割込不可信号の受信から所定時間が経過した時点で、上記コマンドデータ保持手段が保持しているコマンドデータに基づく割込処理が既に実行済みであるか否かを判別する判別手段（２１，Ｔ３，Ｔ４）と、この判別手段が上記コマンドデータ保持手段に保持されているコマンドデータに基づく割込処理は実行されていないと判別した場合に、当該コマンドデータを上記バックアップ機能付記憶手段に記憶させるデータバックアップ手段（２１，Ｔ５，Ｔ６）とが備えられていることを特徴とする遊技機用制御装置である。
【００１７】
また、請求項６記載の発明は、上記副制御基板には、遊技機への供給電圧が上記予め定める電圧値未満である状態から上記予め定める電圧値以上に復帰した後、上記バックアップ機能付記憶手段にコマンドデータが記憶されている場合に、その記憶されているコマンドデータに基づく割込処理を実行する復帰後割込処理実行手段（２１）がさらに備えられていることを特徴とする請求項５記載の遊技機用制御装置である。
【００１８】
上記の発明によれば、請求項１または２に関連して述べた効果と同様な効果を奏することができる。
請求項７記載の発明は、上記主制御基板には、上記コマンドデータ送信手段から上記コマンドデータ保持手段へのコマンドデータの送信にタイミングをとって、当該コマンドデータに基づく割込処理の実行タイミングを規定するストローブ信号を送信するストローブ信号送信手段（１１）がさらに備えられ、上記副制御基板には、上記ストローブ信号送信手段から送信されてくるストローブ信号を受信し、その受信の度にカウント値を１だけ増加させるカウンタ（２５２）と、上記データ保持手段からコマンドデータが読み出されたことに応答して、上記カウンタのカウント値を記憶するカウント値記憶手段（２２）とがさらに備えられており、上記判別手段は、上記割込不可信号受信手段による割込不可信号の受信から所定時間が経過した時点で、上記カウンタのカウント値と上記カウント値記憶手段に記憶されているカウント値とを比較し、上記カウンタのカウント値と上記カウント値記憶手段に記憶されているカウント値とが一致する場合には、上記コマンドデータ保持手段に保持されているコマンドデータに基づく割込処理は既に実行済みであると判別し、上記カウンタのカウント値と上記カウント値記憶手段に記憶されているカウント値とが異なる場合には、上記コマンドデータ保持手段に保持されているコマンドデータに基づく処理が未だ実行されていないと判別するものであることを特徴とする請求項５または６記載の遊技機用制御装置である。
【００１９】
この発明によれば、請求項３に関連して述べた効果と同様な効果を奏することができる。
【００２０】
【発明の実施の形態】
以下では、この発明の実施の形態を、添付図面を参照して詳細に説明する。
図１は、この発明の一実施形態に係る遊技機用制御装置の電気的構成を示すブロック図である。この遊技機用制御装置は、たとえば、パチンコ機やパチスロ機などの遊技機に用いられて、その遊技機の動作を制御するためのものである。なお、以下では、遊技機の一例としてのパチンコ機を例にとって説明することとし、図１は、たとえば、パチンコ機の遊技盤内に配置された入賞口にパチンコ球が入球したことに対する賞球の払い出しを制御するための構成を示している。
【００２１】
この遊技機用制御装置は、遊技内容（ゲーム内容）に関する基本的な動作を制御するための主制御基板１０と、賞球払出装置４０による賞球の払い出し動作を制御するための賞球払出制御基板２０と、パチンコ機の各部の動作電圧を発生する電源基板３０とを備えている。
主制御基板１０には、ＣＰＵ１１、このＣＰＵ１１による制御時に必要なデータが書き込まれるＲＡＭ１２および遊技制御プログラムが記憶されたＲＯＭ１３の機能を１つのチップに集約したワンチップマイコン（たとえば、８ビットマイコン）が実装されている。一方、賞球払出制御基板２０にも、賞球払出装置４０の制御に必要なＣＰＵ２１、ＲＡＭ２２およびＲＯＭ２３が実装されている。ＲＡＭ１２，２２は、どちらも、電源基板３０からの供給電圧がＲＡＭ１２，２２の動作電圧以下に低下しても、保持しているデータを必要に応じて保持しておくことのできるバックアップ機能付のＲＡＭで構成されている。
【００２２】
主制御基板１０と賞球払出制御基板２０とは、信号線Ｌ１，Ｌ２によって接続されている。賞球払出装置４０から賞球を払い出す必要が生じると、主制御基板１０のＣＰＵ１１は、賞球払出制御基板２０に向けて賞球払出制御信号を送出する。この賞球払出制御信号には、賞球払出装置４０の制御に必要なデータを含むコマンドデータと、このコマンドデータを賞球払出制御基板２０のＣＰＵ２１が取り込むタイミングを通知するストローブ信号とを含む。コマンドデータは、信号線Ｌ１を通して主制御基板１０から賞球払出制御基板２０に与えられ、ストローブ信号は、信号線Ｌ２を通して主制御基板１０から賞球払出制御基板２０に与えられる。
【００２３】
賞球払出制御基板２０にはさらに、信号線Ｌ１を通して送られてくるコマンドデータを一時的に保持しておくためのバッファであるデータ受信部２４と、信号線Ｌ２を通して送られてくるストローブ信号を受信するストローブ信号受信部２５とが備えられている。ストローブ信号受信部２５は、複数の入力端子を備えており、そのうちの２つの入力端子に、信号線Ｌ２を通して送られてくるストローブ信号（１ビットのパルス信号）が並列に入力されるようになっている。信号線Ｌ２から一方の入力端子に入力されるストローブ信号は、ストローブ信号の受信（検出）に応答してＣＰＵ２１に向けて割込信号を発生する割込信号発生回路２５１に与えられるようになっている。また、信号線Ｌ２から他方の入力端子に入力されるストローブ信号は、ストローブ信号を受信（検出）する度にカウント値を＋１ずつインクリメントするカウンタ２５２に与えられるようになっている。
【００２４】
また、電源基板３０には、外部電源から遊技機に供給される電圧（たとえば、ＡＣ２４Ｖ）が予め定める電圧値以下に低下したことを検出する停電検出回路３１が接続されていて、この停電検出回路３１によって遊技機への供給電圧が予め定める電圧値以下に低下したことが検出されると、これに応答して、電源基板３０から主制御基板１０および賞球払出制御基板２０にＮＭＩ（Non Maskable Interrupt）信号（割込処理を不可にする（禁止する）割込不可信号）が与えられるようになっている。主制御基板１０および賞球払出制御基板２０には、それぞれＮＭＩ信号を受信するためのＮＭＩ信号受信回路１４，２６が備えられており、これらのＮＭＩ信号受信回路１４，２６によってＮＭＩ信号が受信されると、その旨がＣＰＵ１１，２１にそれぞれ通知される。主制御基板１０のＣＰＵ１１は、ＮＭＩ信号受信回路１４からＮＭＩ信号を受信した旨が通知されると、たとえば、それ以降のコマンドデータおよびストローブ信号の送信を禁止するとともに、ＲＡＭ１２に格納されているデータのバックアップを行う。また、賞球払出制御基板２０のＣＰＵ２１は、ＮＭＩ信号受信回路２６からＮＭＩ信号を受信した旨が通知されると、たとえば、それ以降の割込処理の実行が禁止されるとともに、予め定めるＮＭＩ受信時処理を実行する。
【００２５】
図２は、ＮＭＩ信号の非受信時に賞球払出制御基板２０のＣＰＵ２１が実行する通常処理について説明するためのフローチャートである。賞球払出制御基板２０のＣＰＵ２１は、予め定める周期で、割込信号発生回路２５１から割込信号が発生されたかどうかを繰り返し判断している（ステップＳ１）。
主制御基板１０から賞球払出制御基板２０に向けて賞球払出制御信号が送出されて、この賞球払出制御信号に含まれているストローブ信号がストローブ信号受信部２５によって受信され、割込信号発生回路２５１から割込信号が発生されると、ＣＰＵ２１による賞球払出のための割込処理が開始される。すなわち、ＣＰＵ２１は、データ受信部２４に保持されているコマンドデータを取り込む（ステップＳ２）。また、ストローブ信号の受信に応答してカウンタ値が＋１インクリメントされたカウンタ２５２から、そのインクリメント後のカウント値を読み出してＲＡＭ２２に格納する（ステップＳ３）。
【００２６】
その後、ＣＰＵ２１は、データ受信部２４から取り込んだコマンドデータに基づいて、賞球払出装置４０を動作するための賞球信号を生成し、この生成した賞球信号を賞球払出装置４０に与える（ステップＳ４）。たとえば、賞球払出装置４０に賞球信号が与えられている間、賞球払出装置４０による賞球払出動作が継続され、これにより、賞球信号の出力時間に応じた個数の賞球（パチンコ球）が賞球払出装置４０から払い出される。賞球払出装置４０から払い出された賞球は、パチンコ機の正面に配置された球受皿（図示せず）に排出される。
【００２７】
図３は、ＮＭＩ信号の受信時に賞球払出制御基板２０のＣＰＵ２１が実行する処理（ＮＭＩ受信時処理）について説明するためのフローチャートである。賞球払出制御基板２０のＣＰＵ２１は、ＮＭＩ信号受信回路２６からＮＭＩ信号を受信した旨が通知されるまでは、上述の通常処理を繰り返し実行している（ステップＴ２）。ＮＭＩ信号受信回路２６からＮＭＩ信号を受信した旨が通知されると（ステップＴ１でＹＥＳ）、そのＮＭＩ信号の受信から所定時間（たとえば、主制御基板１０のＮＭＩ信号受信回路１４によるＮＭＩ信号の受信タイミングと賞球払出制御基板２０のＮＭＩ信号受信回路２６によるＮＭＩ信号の受信タイミングとの間に生じ得る最大時間差）が経過した時点で、カウンタ２５２のカウント値を取り込むとともに（ステップＴ３）、ＲＡＭ２２に記憶保持されているカウント値（保持カウント値）を読み出して、これらのカウント値が同じであるか否かを判断する（ステップＴ４）。
【００２８】
主制御基板１０のＮＭＩ信号受信回路１４および賞球払出制御基板２０のＮＭＩ信号受信回路２６によって同時にＮＭＩ信号を受信した場合、または、主制御基板１０のＮＭＩ信号受信回路１４が賞球払出制御基板２０のＮＭＩ信号受信回路２６よりも早くＮＭＩ信号を受信した場合には、賞球払出制御基板２０における割込処理の実行が禁止された後に、主制御基板１０から賞球払出制御基板２０に賞球払出制御信号が与えられることはない。したがって、この場合には、カウンタ２５２から取り込んだカウント値（取込カウント値）とＲＡＭ２２に保持されている保持カウント値とは一致するはずである。
【００２９】
一方、主制御基板１０のＮＭＩ信号受信回路１４によるＮＭＩ信号の受信が賞球払出制御基板２０のＮＭＩ信号受信回路２６によるＮＭＩ信号の受信よりも遅れた場合には、賞球払出制御基板２０のＮＭＩ信号受信回路２６によってＮＭＩ信号が受信されてから主制御基板１０のＮＭＩ信号受信回路１４によってＮＭＩ信号が受信されるまでの間に、主制御基板１０から賞球払出制御基板２０に向けて賞球払出制御信号が送信されることが想定される。この場合、賞球払出制御信号は賞球払出制御基板２０のデータ受信部２４およびストローブ信号受信部２５に受信されて、コマンドデータがデータ受信部２４に保持されるとともに、割込信号発生回路２５１から割込信号が発生され、また、カウンタ２５２のカウント値が＋１だけインクリメントされる。ところが、ＮＭＩ信号を受信したことに応答してＣＰＵ２１による割込処理の実行は禁止されているので、データ受信部２４に保持されているコマンドデータがＣＰＵ２１に取り込まれたり、カウンタ２５２からインクリメント後のカウント値が読み出されてＲＡＭ２２に格納されるといったことは行われない。したがって、この場合には、カウンタ２５２からの取込カウント値がＲＡＭ２２に保持されている保持カウント値よりも１だけ大きいはずである。
【００３０】
そこで、カウンタ２５２からの取込カウント値とＲＡＭ２２に保持されている保持カウント値とが異なる場合には（ステップＴ４でＮＯ）、ＣＰＵ２１は、主制御基板１０から賞球払出制御信号を受信したが、この賞球払出制御信号の受信に対する割込処理は実行していないと判断して、データ受信部２４からコマンドデータを取り込み（ステップＴ５）、その取り込んだコマンドデータをＲＡＭ２２に格納するとともに（ステップＴ６）、インクリメント後のカウント値を読み出してＲＡＭ２２に格納する（ステップＴ７）。ＲＡＭ２２は、上記したようにバックアップ機能を有しているから、ＲＡＭ２２に格納されたコマンドデータおよびカウント値は、電源基板３０からの供給電圧がＲＡＭ２２の動作電圧以下に低下した後も保持される。
【００３１】
ゆえに、外部電源から遊技機に供給される電圧が上記予め定める電圧値以上に復帰した後に、ＣＰＵ２１がＲＡＭ２２の保持データをチェックし、その保持データにコマンドデータが含まれている場合には、そのコマンドデータに基づく割込処理が実行されることにより、ＮＭＩ受信後に受信した賞球払出制御信号に対する賞球払出動作が実行される。よって、主制御基板１０におけるＮＭＩ信号の受信タイミングと賞球払出制御基板２０におけるＮＭＩ信号の受信タイミングとのずれに起因した不都合（たとえば、本来なら払い出されるべき賞球が払い出されない不都合）の発生を回避でき、遊技者に損害を与えることが防止される。
【００３２】
以上、この発明の一実施形態について説明したが、この発明は他の形態で実施することも可能である。たとえば、上述の実施形態では、この発明が賞球払出制御基板２０に適用された場合を例にとったが、この発明は、主制御基板１０から与えられる制御信号（コマンドデータ）に基づく処理を行い、かつ、電源基板３０からＮＭＩ信号が与えられるものであれば、図柄表示装置の変動表示動作を制御するための表示制御基板、スピーカからの効果音の出力を制御するための音声制御基板などの他の種類の制御基板に適用することもできる。
【００３３】
また、上述の実施形態では、主制御基板１０に備えられているＣＰＵ１１、ＲＡＭ１２およびＲＯＭ１３は、８ビットマイコンで実現されるとしているが、これに限らず、１６ビットマイコンで実現されてもよいし、３２ビットマイコンで実現されてもよい。
その他、特許請求の範囲に記載された事項の範囲で種々の設計変更を施すことが可能である。
【図面の簡単な説明】
【図１】この発明の一実施形態に係る遊技機用制御装置の電気的構成を示すブロック図である。
【図２】ＮＭＩ信号の非受信時に賞球払出制御基板において実行される通常処理を説明するためのフローチャートである。
【図３】ＮＭＩ信号の非受信時に賞球払出制御基板において実行される通常処理を説明するためのフローチャートである。
【図４】従来の遊技機用制御装置の電気的構成を示すブロック図である。
【符号の説明】
１０    主制御基板
１１    ＣＰＵ
１２    ＲＡＭ
１３    ＲＯＭ
１４    ＮＭＩ信号受信回路
２０    賞球払出制御基板
２１    ＣＰＵ
２２    ＲＡＭ
２３    ＲＯＭ
２４    データ受信部
２５    ストローブ信号受信部
２５１  割込信号発生回路
２５２  カウンタ
２６    ＮＭＩ信号受信回路
３０    電源基板
３１    停電検出回路
４０    賞球払出装置
【図１】
0004683449.tif 000002
【図２】
0004683449.tif 000003
【図３】
0004683449.tif 000004
【図４】
0004683449.tif 000005